(57)【要約】【課題】筐体に対して回動するスキャナーユニットに回動可能に設けられたパネルが、パネルを上向きに回動させようとする力で意図せずパネルよりも先にスキャナーユニットが回動してしまったり、パネルとともにスキャナーユニットが回動してしまうことがある。【解決手段】プリンター１は、スキャナーユニット４が筐体２に対して閉じた閉状態から開く方向に回動することを規制する規制状態と、スキャナーユニット４が閉状態から開く方向に回動することを許容する許容状態とを切り換え可能であり、パネルユニット１３を第１姿勢にすることで規制状態となり、パネルユニット１３を第１姿勢から所定の角度回動させた第２姿勢にすることで許容状態となる規制手段４０を備える。【選択図】図８
2020131622.tif 000002
【特許請求の範囲】
【請求項１】
媒体に記録を行う記録部と、
前記記録部を内部に備える筐体と、
前記筐体に対して回動可能に設けられ、回動することにより前記筐体の上部を開閉可能なスキャナーユニットと、
前記スキャナーユニットに設けられ、前記スキャナーユニットが前記筐体に対して閉じた状態の場合に、パネル面が前記筐体の側面に沿う第１姿勢から、前記パネル面が前記第１姿勢よりも上を向く方向に回動可能なパネルユニットと、
前記スキャナーユニットが前記筐体に対して閉じた閉状態から開く方向に回動することを規制する規制状態と、前記スキャナーユニットが前記閉状態から開く方向に回動することを許容する許容状態と、を切り換え可能であり、前記パネルユニットを前記第１姿勢にすることで前記規制状態となり、前記パネルユニットを前記第１姿勢から所定の角度回動させた第２姿勢にすることで前記許容状態となる、少なくとも一つの規制手段と、を備える、
ことを特徴とする記録装置。
【請求項２】
請求項１に記載の記録装置において、
前記パネルユニットは、前記スキャナーユニットの自由端に設けられる、
ことを特徴とする記録装置。
【請求項３】
請求項２に記載の記録装置において、
前記パネルユニットは、前記第１姿勢からの回動角が前記第２姿勢よりも大きい第３姿勢をとるまで回動可能であり、
前記スキャナーユニットの前記自由端が位置する方向を装置前方として、前記パネルユニットを前記第３姿勢にした状態、且つ、前記スキャナーユニットを最大の開き角度にした場合に、前記パネル面が水平よりも前記装置前方に向く、
ことを特徴とする記録装置。
【請求項４】
請求項１から請求項３のいずれか一項に記載の記録装置において、
前記規制手段は、前記パネルユニットに設けられ、前記パネルユニットの回動に追従して変位するフック部と、前記筐体に設けられ、前記フック部が掛かることで前記スキャナーユニットの前記筐体に対する回動を規制する規制部と、を備え、
前記パネルユニットが前記第１姿勢から前記第２姿勢になる前まで前記フック部が前記規制部に掛かることで前記規制状態となり、前記パネルユニットが前記第２姿勢になったら前記フック部が前記規制部から外れることで前記許容状態となる、
ことを特徴とする記録装置。
【請求項５】
請求項４に記載の記録装置において、
前記フック部は、前記規制部から外れる際に前記規制部に干渉する凸部を備える、
ことを特徴とする記録装置。
【請求項６】
請求項４または請求項５に記載の記録装置において、
前記規制部に設けられ、前記規制部に掛かった前記フック部を押圧する押圧手段を備える、
ことを特徴とする記録装置。
【請求項７】
請求項１から請求項６のいずれか一項に記載の記録装置において、
前記規制手段を複数備える、ことを特徴とする記録装置。
【請求項８】
請求項１から請求項７のいずれか一項に記載の記録装置において、
前記記録部は、液体を吐出する記録ヘッドを備え、前記記録ヘッドから前記媒体に向けて前記液体を吐出することで記録を行う構成であり、
前記筐体は、前記液体を収容する液体収容部を内部に備え、
前記スキャナーユニットを開いた状態において、前記液体収容部に前記液体を補充可能に構成される、
ことを特徴とする記録装置。
【請求項９】
請求項８に記載の記録装置において、
前記記録部は、前記記録ヘッドを支持するとともに前記液体収容部を搭載可能なキャリッジを備える、
ことを特徴とする記録装置。
【発明の詳細な説明】
【技術分野】
【０００１】
本発明は、媒体への記録機能と原稿を読み取る読取機能との双方を備える記録装置に関する。
【背景技術】
【０００２】
プリンターに代表される記録装置には、媒体に記録を行う記録部を備える装置本体の上部にスキャナーユニットが設けられ、媒体への記録機能と原稿を読み取る読取機能との双方を備える複合機として構成されるものがある。  
【０００３】
このような記録装置には、一例として特許文献１に示されるように、所定の情報を表示する表示部や所定の情報を入力するボタン部を有する操作パネルを備え、ユーザーが操作し易いように操作パネルを傾斜可能に構成されるものがある。特許文献１に記載の操作パネルは装置の側面に設けられ、矩形の操作パネルの上辺に沿って回動軸が設けられている。操作パネルは、操作面が上を向くように回動させることで傾斜姿勢にされるように構成されている。
【０００４】
また、複合機として構成される記録装置は、一例として特許文献２に示されるように、スキャナーユニットが装置本体の上部を開閉するように回動可能に構成され、スキャナーユニットを開くことで装置本体の内部を開放し、メンテナンス等を行えるように構成される場合がある。特許文献２に記載の複合機は、装置本体に対して回動するスキャナーユニットの自由端側に操作パネルを備えている。スキャナーユニットが回動する際、操作パネルはスキャナーユニットと一体となって変位する。
【先行技術文献】
【特許文献】
【０００５】
【特許文献１】特開２０１８−０５２００３号公報
【特許文献２】特開２０１４−１２０８６４号公報
【発明の概要】
【発明が解決しようとする課題】
【０００６】
特許文献２のように、装置本体に対して回動するスキャナーユニットの自由端側に設けられた操作パネルが、特許文献１の操作パネルのように、操作面が上を向くように回動させることで傾斜可能に構成されている場合、操作パネルを上向きに回動させようとする力によって、意図せず操作パネルよりも先にスキャナーユニットが回動してしまったり、或いは操作パネルとともにスキャナーユニットが回動してしまうことがある。
【課題を解決するための手段】
【０００７】
上記課題を解決する本発明の記録装置は、媒体に記録を行う記録部と、前記記録部を内部に備える筐体と、前記筐体に対して回動可能に設けられ、回動することにより前記筐体の上部を開閉可能なスキャナーユニットと、前記スキャナーユニットに設けられ、前記スキャナーユニットが前記筐体に対して閉じた状態の場合に、パネル面が前記筐体の側面に沿う第１姿勢から、前記パネル面が前記第１姿勢よりも上を向く方向に回動可能なパネルユニットと、前記スキャナーユニットが前記筐体に対して閉じた閉状態から開く方向に回動することを規制する規制状態と、前記スキャナーユニットが前記閉状態から開く方向に回動することを許容する許容状態と、を切り換え可能であり、前記パネルユニットを前記第１姿勢にすることで前記規制状態となり、前記パネルユニットを前記第１姿勢から所定の角度回動させた第２姿勢にすることで前記許容状態となる、少なくとも一つの規制手段と、を備えることを特徴とする。
【図面の簡単な説明】
【０００８】
【図１】第１実施形態に係るプリンターの外観斜視図。
【図２】第１実施形態に係るプリンターにおいてパネルユニットを第３姿勢にした状態を示す斜視図。
【図３】第１実施形態に係るプリンターにおいてスキャナーユニットを完全に開いた状態を示す斜視図。
【図４】第１実施形態に係るプリンターの側断面図。
【図５】第１実施形態に係るプリンターにおいてスキャナーユニットの原稿台カバーを開いた状態を示す斜視図。
【図６】図１のＡ−Ａ矢視断面図。
【図７】パネルユニットが第１姿勢から５０°回動した状態を示す断面図。
【図８】パネルユニットが第１姿勢から６０°回動した状態を示す断面図。
【図９】パネルユニットが第１姿勢から７０°回動した状態を示す断面図。
【図１０】図２のＢ−Ｂ矢視断面図であり、パネルユニットが第１姿勢から８０°回動した状態を示す断面図。
【図１１】図７に示す状態のパネルユニットを下方から見た斜視図。
【図１２】図７に示す状態のパネルユニットを上方から見た斜視図。
【図１３】図３のＣ部の拡大斜視図。
【図１４】規制手段の変更例について説明する斜視図。
【図１５】第１実施形態に係るプリンターにおいて、キャリッジが液体収容部にインクを補充する際の位置に移動された状態を示す斜視図。
【図１６】液体収容部のキャップが開放された状態を示す斜視図。
【図１７】庇部材について説明する斜視図。
【図１８】スキャナーユニットを完全に開いた状態で、パネルユニットを第１姿勢と同じ角度にした状態を示す斜視図。
【図１９】パネルユニットの第３姿勢とスキャナーユニットの全開の開き角度との関係の一例について説明する図。
【発明を実施するための形態】
【０００９】
以下、本発明について概略的に説明する。  
第１の態様に係る記録装置は、媒体に記録を行う記録部と、前記記録部を内部に備える筐体と、前記筐体に対して回動可能に設けられ、回動することにより前記筐体の上部を開閉可能なスキャナーユニットと、前記スキャナーユニットに設けられ、前記スキャナーユニットが前記筐体に対して閉じた状態の場合に、パネル面が前記筐体の側面に沿う第１姿勢から、前記パネル面が前記第１姿勢よりも上を向く方向に回動可能なパネルユニットと、前記スキャナーユニットが前記筐体に対して閉じた閉状態から開く方向に回動することを規制する規制状態と、前記スキャナーユニットが前記閉状態から開く方向に回動することを許容する許容状態と、を切り換え可能であり、前記パネルユニットを前記第１姿勢にすることで前記規制状態となり、前記パネルユニットを前記第１姿勢から所定の角度回動させた第２姿勢にすることで前記許容状態となる、少なくとも一つの規制手段と、を備えることを特徴とする。
【００１０】
本態様によれば、前記パネルユニットを前記第１姿勢にすることで前記規制状態となり、前記パネルユニットを前記第１姿勢から所定の角度回動させた第２姿勢にすることで前記許容状態となる規制手段を備えるので、前記パネルユニットが前記第１姿勢から前記第２姿勢にされるまでの間、パネルユニットを上向きに回動させようとする力で先にスキャナーユニットが回動することを抑制できる。また前記パネルユニットが前記第２姿勢の状態で、前記パネルユニットを持ち、簡単に前記スキャナーユニットを回動させることができる。
【００１１】
第２の態様は、第１の態様において、前記パネルユニットは、前記スキャナーユニットの自由端に設けられる、ことを特徴とする。
【００１２】
本態様によれば、前記パネルユニットが、前記スキャナーユニットの自由端に設けられるので、前記スキャナーユニットの回動方向と前記パネルユニットの回動方向とが同じとなり、操作性の良好な記録装置とすることができる。  
前記パネルユニットが前記スキャナーユニットの自由端に設けられていると、前記パネルユニットを前記第１姿勢から前記第２姿勢にするための力によって前記スキャナーユニットが開き易いが、第１の態様と同様の作用効果により、パネルユニットを回動させようとする力でスキャナーユニットが回動する虞を確実に抑制できる。
【００１３】
第３の態様は、第２の態様において、前記パネルユニットは、前記第１姿勢からの回動角が前記第２姿勢よりも大きい第３姿勢をとるまで回動可能であり、前記スキャナーユニットの前記自由端が位置する方向を装置前方として、前記パネルユニットを前記第３姿勢にした状態、且つ、前記スキャナーユニットを最大の開き角度にした場合に、前記パネル面が水平よりも前記装置前方に向く、ことを特徴とする。
【００１４】
本態様によれば、前記スキャナーユニットを完全に開いた際に、前記装置前方から前記パネル面を視認し易い構成とすることができる。
【００１５】
第４の態様は、第１の態様から第３の態様のいずれかにおいて、前記規制手段は、前記パネルユニットに設けられ、前記パネルユニットの回動に追従して変位するフック部と、前記筐体に設けられ、前記フック部が掛かることで前記スキャナーユニットの前記筐体に対する回動を規制する規制部と、を備え、前記パネルユニットが前記第１姿勢から前記第２姿勢になる前まで前記フック部が前記規制部に掛かることで前記規制状態となり、前記パネルユニットが前記第２姿勢になったら前記フック部が前記規制部から外れることで前記許容状態となることを特徴とする。  
本態様によれば、構成簡単にして前記規制手段を形成することができる。
【００１６】
第５の態様は、第４の態様において、前記フック部は、前記規制部から外れる際に前記規制部に干渉する凸部を備える、ことを特徴とする。
【００１７】
本態様によれば、前記フック部は、前記規制部から外れる際に前記規制部に干渉する凸部を備えるので、前記スキャナーユニットの回動の規制が解除された際にクリック感が得られ、前記スキャナーユニットが回動可能になったことをユーザーに分かり易くすることができる。
【００１８】
第６の態様は、第４の態様または第５の態様において、前記規制部に設けられ、前記規制部に掛かった前記フック部を押圧する押圧手段を備える、ことを特徴とする。
【００１９】
本態様によれば、前記規制部に設けられ、前記規制部に掛かった前記フック部を押圧する押圧手段を備えるので、前記規制部に前記フック部が掛かった状態での前記パネルユニットのがたつきを抑制することができる。
【００２０】
第７の態様は、第１の態様から第６の態様のいずれかにおいて、前記規制手段を複数備える、ことを特徴とする。
【００２１】
本態様によれば、前記規制手段を複数備えるので、前記パネルユニットが前記第１姿勢から前記第２姿勢にされるまでの間、パネルユニットを上向きに回動させようとする力で先にスキャナーユニットが回動することをより確実に抑制できる。
【００２２】
第８の態様は、第１の態様から第７の態様のいずれかにおいて、前記記録部は、液体を吐出する記録ヘッドを備え、前記記録ヘッドから前記媒体に向けて前記液体を吐出することで記録を行う構成であり、前記筐体は、前記液体を収容する液体収容部を内部に備え、前記スキャナーユニットを開いた状態において、前記液体収容部に前記液体を補充可能に構成される、ことを特徴とする。
【００２３】
本態様によれば、第１の態様から第７の態様のいずれかと同様の作用効果が得られ、前記液体収容部に前記液体を補充するに当たり、良好な操作性でスキャナーユニットを開くことができる。
【００２４】
第９の態様は、第８の態様において、前記記録部は、前記記録ヘッドを支持するとともに前記液体収容部を搭載可能なキャリッジを備える、ことを特徴とする。
【００２５】
本態様によれば、前記液体収容部が前記記録ヘッドを支持する前記キャリッジに搭載される構成の記録装置において、第８の態様と同様の作用効果が得られる。
【００２６】
［第１実施形態］
以下、図を参照して、本発明の一実施形態に係る記録装置の概略について説明する。本実施形態において、記録装置の一例としてインクジェットプリンター１を挙げる。インクジェットプリンター１は、以下、単にプリンター１と称するものとする。  
尚、各図において示すＸ−Ｙ−Ｚ座標系はＸ軸方向が装置幅方向、Ｙ軸方向が装置奥行き方向、Ｚ軸方向が装置高さ方向を示している。また、＋Ｙ方向を装置前方とし、−Ｙ方向を装置後方とする。また、装置前方から見て左を＋Ｘ方向、右を−Ｘ方向とする。また、＋Ｚ方向を上方とし、−Ｚ方向側を下方とする。  
また、プリンター１において媒体が搬送されていく搬送方向を「下流」といい、これと反対の方向を「上流」という。
【００２７】
＜プリンターの概要＞
図１に示されるプリンター１は、媒体に記録を行う記録部８を内部に備える筐体２と、筐体２の上部に設けられ、原稿の画像を読み取るスキャナーユニット４を備えている。即ちプリンター１は、記録機能に加えて画像読取機能を備える複合機として構成されている。  
プリンター１において、記録が行われる媒体としては、例えば、普通紙の他、普通紙よりも厚いハガキや名刺等の厚紙、普通紙よりも薄い薄紙、写真用の光沢紙等の用紙が挙げられる。また、プリンター１は、ＣＤやＤＶＤのようなディスク型メモリーのラベル面への記録も可能に構成されている。
【００２８】
プリンター１において、記録部８は、液体としてのインクを吐出する記録ヘッド１０と、記録ヘッド１０を支持するキャリッジ２０とを備え、記録ヘッド１０から媒体Ｐに向けてインクを吐出することで記録を行うように構成されている。
【００２９】
スキャナーユニット４は、筐体２に対して回動可能に設けられ、回動することにより筐体２の上部を開閉可能に構成されている。図１には、スキャナーユニット４が筐体２に対して閉じた閉状態が表されており、図３にはスキャナーユニット４が筐体２に対して完全に開いた状態を示している。
【００３０】
プリンター１の装置前方である＋Ｙ方向には、操作部６を備えるパネルユニット１３が設けられている。操作部６は、記録や画像読み取りのための各種設定操作や実行操作の他、設定内容や画像のプレビュー表示などを行うことができる。  
パネルユニット１３は、スキャナーユニット４に設けられ、図１に示されるように、パネル面としての操作面６ａが前方を向く状態から、図２に示されるように、操作面６ａが図１の状態よりも上を向く方向に回動可能に構成されている。  
スキャナーユニット４及びパネルユニット１３の構成については後で詳しく説明する。
【００３１】
筐体２の前面２ａの下部には、下部カバー７が設けられている。尚、筐体２の前面２ａは図１では見えていないが、図２及び図３に示されている。  
下部カバー７を図４において点線で示すように開くことにより、記録前の媒体Ｐを収容する媒体トレイ１１と、記録後に排出される媒体を受ける排出トレイ１２が露呈するように構成されている。
【００３２】
排出トレイ１２は、図４において実線で示されるように筐体２に収納された収納状態と、図４において点線で示されるように筐体２の前方側に突出した突出状態と、を切換可能に構成されており、突出状態で記録後の媒体を受けることができる。排出トレイ１２は、不図示のモーターによって収納状態と突出状態とを切り換え可能に構成されている。
【００３３】
媒体トレイ１１には複数枚の媒体Ｐを収容可能であり、筐体２に対して着脱可能となっている。媒体トレイ１１は、図４に示されるように筐体２に装着された状態で、媒体Ｐを後述する媒体搬送経路Ｔに送り出すことができるようになっている。また、媒体トレイ１１は、前方（＋Ｙ方向）に引き出した状態で媒体Ｐを補充することができる。
【００３４】
＜プリンターにおける媒体搬送経路について＞
続いて、図４を参照しつつプリンター１における媒体搬送経路Ｔについて説明する。  
媒体搬送経路Ｔは、プリンター１の装置下部に設けられる媒体トレイ１１から記録部８による記録領域に向けて搬送される媒体Ｐの搬送経路である。  
媒体トレイ１１にセットされた媒体Ｐは、給送ローラー１６によってピックアップされて媒体搬送経路Ｔに送り出される。より具体的には、不図示の駆動源によって回転駆動される給送ローラー１６は、揺動軸１９ａを中心に揺動するローラー支持部材１９に設けられており、媒体トレイ１１に収容された複数の媒体Ｐの最上位のものと接して回転することにより、その最上位の媒体Ｐを媒体トレイ１１から装置後方（−Ｙ方向）に送り出す。
【００３５】
給送ローラー１６の下流には、不図示の駆動源によって回転駆動される中間ローラー１７が設けられており、この中間ローラー１７によって媒体Ｐは湾曲反転させられ、装置前方（＋Ｙ方向）へと送られる。尚、符号１８ａ、１８ｂ、１８ｃ、１８ｄは中間ローラー１７に従動回転可能な従動ローラーであり、媒体は、従動ローラー１８ａと中間ローラー１７とによってニップされ、続いて従動ローラー１８ｂと中間ローラー１７とによってニップされ、更に従動ローラー１８ｃと中間ローラー１７とによってニップされて、下流へと送られる。従動ローラー１８ｄについては後で説明する。
【００３６】
中間ローラー１７の下流には、搬送ローラー対２１が設けられており、搬送ローラー対２１によって媒体が記録ヘッド１０の下方へと送られる。搬送ローラー対２１は、図４において、下側のローラーが不図示の駆動源により回転駆動され、上側のローラーが下側のローラーに従動回転する。
【００３７】
搬送ローラー対２１の下流には、記録部８が設けられている。記録部８において、インクを吐出する記録ヘッド１０は、キャリッジ２０の底部に設けられている。キャリッジ２０には、記録ヘッド１０に供給するインクを収容する液体収容部２４が搭載されている。言い換えると、筐体２は、液体収容部２４を内部に備えている。  
キャリッジ２０は図示しない駆動源によって装置幅方向（Ｘ軸方向）に往復移動可能に構成されている。  
記録ヘッド１０と対向する位置には、媒体搬送経路Ｔを搬送される媒体を支持する媒体支持部材２３が設けられ、媒体支持部材２３によって、媒体と記録ヘッド１０との間隔が規定される。媒体と記録ヘッド１０との間隔は、ギャップとも言う。
【００３８】
媒体支持部材２３の下流には排出ローラー対２２が設けられている。排出ローラー対２２も、搬送ローラー対２１と同様に、下側のローラーが不図示の駆動源により回転駆動され、上側のローラーが下側のローラーに従動回転するように構成されている。記録部８による記録後の媒体Ｐは、排出ローラー対２２により、図４において点線で示されるように突出状態にされた排出トレイ１２に向けて排出される。
【００３９】
尚、プリンター１は、媒体Ｐの第１面と、その反対面の第２面に記録を行う両面記録を実行可能に構成されている。両面記録を行う場合には、第１面への記録後、媒体Ｐをスイッチバックさせて−Ｙ方向に送る。スイッチバックされた媒体Ｐは、従動ローラー１８ｄと中間ローラー１７とによってニップされて、媒体搬送経路Ｔに合流させることができる。媒体Ｐは中間ローラー１７によって反転され、第２面が記録ヘッド１０と対向した状態で記録ヘッド１０の下方に搬送され、第２面への記録が行われる。
【００４０】
また、プリンター１は、記録が行われる媒体Ｐを装置後方の上部に設けられる上部供給口９からも供給可能に構成されている。上部供給口９は、給送口カバー３を開くことで開放される。上部供給口９から供給された媒体Ｐは、搬送ローラー対２１の上流から媒体搬送経路Ｔに入り、記録ヘッド１０による記録が行われる。
【００４１】
＜スキャナーユニットについて＞
また、プリンター１において、スキャナーユニット４は、図３に示されるように、筐体２の上部に対して回動可能に設けられている。スキャナーユニット４は、装置後方、すなわち−Ｙ方向に回動軸を有し、装置前方、すなわち＋Ｙ方向を自由端４ａとして回動し、筐体２の上部を開閉可能に構成されている。
【００４２】
スキャナーユニット４は、図４に示すように、内部に読取部３１を備えるスキャナー本体３０と、スキャナー本体３０の上部に設けられる原稿台３２を開閉可能な原稿台カバー５を備えている。原稿台カバー５を図５のように開くと、原稿台３２が露呈する。読取部３１は、原稿台３２に載置された原稿を読み取る。原稿は、読み取り面を原稿台３２と対向させるようにして原稿台３２に載置される。
【００４３】
原稿台カバー５において、閉じた際に原稿台３２と対向する面には、図５に示されるように、原稿を押さえる押さえ板３３が設けられている。  
尚、パネルユニット１３はスキャナー本体３０に設けられており、原稿台カバー５は単体で開閉することができる。
【００４４】
＜パネルユニットについて＞
パネルユニット１３は、前述のようにスキャナーユニット４のスキャナー本体３０に回動可能に設けられている。より具体的には、図１に示されるように、操作面６ａが筐体２の前方の側面、すなわち前面２ａ（図２を参照）に沿う第１姿勢から、図２に示されるように、操作面６ａが第１姿勢よりも上を向く方向に回動可能に構成されている。
【００４５】
また、プリンター１において、パネルユニット１３は、スキャナーユニット４の自由端４ａに設けられている。このことにより、スキャナーユニット４の回動方向とパネルユニット１３の回動方向とが同じとなり、ユーザーがパネルユニット１３を正面視した状態でのプリンター１の操作性が良好となる。
【００４６】
ここで、このようなパネルユニット１３がスキャナー本体３０に設けられていると、パネルユニット１３を図１に示される第１姿勢から上向きに回動させようとする力で、意図せず先にスキャナーユニット４が開いてしまうことがある。特に、パネルユニット１３がスキャナーユニット４の自由端４ａに設けられていると、パネルユニット１３を上向きに回動させる力でスキャナーユニット４が開き易い。尚、パネルユニット１３がスキャナーユニット４の自由端４ａではなく、スキャナーユニット４の＋Ｘ方向或いは−Ｘ方向の側辺に設けられる場合も、パネルユニット１３の回動時に意図せずスキャナーユニット４が開く虞がある。
【００４７】
これを回避するため、本実施形態のプリンター１は、スキャナーユニット４が筐体２に対して閉じた閉状態から開く方向に回動することを規制する規制状態と、スキャナーユニット４が閉状態から開く方向に回動することを許容する許容状態と、を切り換え可能な規制手段４０を備えている。  
本実施形態において、規制手段４０は、パネルユニット１３を第１姿勢（図６を参照）にすることで規制状態となり、パネルユニット１３を第１姿勢から所定の角度回動させた第２姿勢（図９を参照）にすることで許容状態となるように構成されている。  
以下、図６〜図１２を参照して、規制手段４０のより具体的な構成について説明する。
【００４８】
本実施形態の規制手段４０は、図６〜図１２に示されるように、パネルユニット１３に設けられ、パネルユニット１３の回動に追従して変位するフック部４１と、筐体２に設けられ、フック部４１が掛かることでスキャナーユニット４の筐体２に対する回動を規制する規制部４２と、を備えている。尚、図１１及び図１２においては、規制手段４０の構成を分かり易く示すためにスキャナーユニット４の記載が省略されている。規制部４２は、図３及び図１３に示されるように、筐体２の前面２ａの上部に設けられている。
【００４９】
図６は、図１におけるＡ−Ａ矢視断面図であり、パネルユニット１３は第１姿勢になっている。図７〜図１０は、図６に示すパネルユニット１３の第１姿勢から、操作面６ａが上を向く方向にパネルユニット１３を回動させた状態を示している。図６に示されるパネルユニット１３の第１姿勢を回動角αが０°の状態として、図７は、パネルユニット１３の回動角αが５０°の状態であり、図８は、パネルユニット１３の回動角αが６０°の状態であり、図９は、パネルユニット１３の回動角αが７０°の状態であり、図１０は、パネルユニット１３の回動角αが８０°の状態である。  
本実施形態においては、図９に示すパネルユニット１３の回動角α＝７０°の状態が、規制手段４０を許容状態にする第２姿勢である。また、パネルユニット１３は、第１姿勢からの回動角αが第２姿勢よりも大きい第３姿勢まで回動可能に構成されている。図１０に示すパネルユニット１３の回動角α＝８０°の状態が第３姿勢である。
【００５０】
規制手段４０は、パネルユニット１３が第１姿勢から第２姿勢になる前まで、すなわち、図６〜図８に示される状態ではフック部４１が規制部４２に掛かり、図９に示されるようにパネルユニット１３が第２姿勢になったら、フック部４１が規制部４２から外れるように構成されている。このことにより、パネルユニット１３が第１姿勢から第２姿勢になるまでの間、規制手段４０によりスキャナーユニット４の開く方向への回動が規制される。パネルユニット１３が第２姿勢になると、フック部４１が規制部４２から外れているので規制手段４０による規制が解除されて許容状態となり、スキャナーユニット４を開くことができる。
【００５１】
規制部４２には、規制部４２に掛かったフック部４１を押圧する押圧手段としての板バネ４３が設けられている。板バネ４３が規制部４２に掛かったフック部４１を押圧することにより、図６〜図８に示されるように規制部４２にフック部４１が掛かった状態でパネルユニット１３ががたつくことを抑制することができる。
【００５２】
また、フック部４１は、規制部４２から外れる際に規制部４２に干渉する凸部４１ａを備えている。凸部４１ａはフック部４１の先端に設けられている。図８に示されるように、パネルユニット１３の回動角αが６０°前後となったとき、すなわちパネルユニット１３が第２姿勢になる直前に凸部４１ａが規制部４２に干渉し、パネルユニット１３の回動にトルクが発生する。そして、パネルユニット１３の回動角αが７０°の第２姿勢になって凸部４１ａが規制部４２から外れると、凸部４１ａと規制部４２との干渉により生じたトルクがなくなることで、クリック感が得られる。このクリック感により、スキャナーユニット４が回動可能になったことをユーザーに分かり易くすることができる。
【００５３】
以上のような構成の規制手段４０をプリンター１が備えることにより、パネルユニット１３が第１姿勢から第２姿勢にされるまでの間、パネルユニット１３を上向きに回動させようとする力で先にスキャナーユニット４が回動することを抑制できる。  
また、パネルユニット１３を回動させることで規制手段４０の規制状態と許容状態とを切り換えるので、規制手段４０の状態を切り換えるためのレバーやハンドルを別途設ける必要がなく、プリンター１を構成する部品点数を削減することができる。  
また、規制手段４０をフック部４１と規制部４２によって構成することにより、構成簡単にして規制手段４０を設けることができる。
【００５４】
＜規制手段の変更例＞
プリンター１は、図１４に示されるように、規制手段４０を複数備える構成とすることもできる。図１４において、複数の規制手段４０は、第１規制手段４０ａ及び第２規制手段４０ｂの二つを備えている。第１規制手段４０ａ及び第２規制手段４０ｂは、パネルユニット１３に対して、幅方向（Ｘ軸方向）に間隔を空けて配置されている。第１規制手段４０ａ及び第２規制手段４０ｂは、パネルユニット１３の幅方向の中央Ｄを挟んで両側に設けられている。複数の規制手段４０を設けることにより、パネルユニット１３を上向きに回動させようとする力で先にスキャナーユニット４が回動することをより確実に抑制できる。
【００５５】
また、規制手段４０はフック部４１と規制部４２とを備える構成に限られず、例えば、規制手段が、スキャナーユニットに設けられた穴に対して進退するロックピンと、このロックピンを進退させるソレノイドと、ソレノイドを制御する制御部を備える構成とすることができる。また、パネルユニットの開き角を検出するエンコーダーを備える構成とすることができる。制御部は、パネルユニットが第２姿勢になるまではロックピンをスキャナーユニットの穴に嵌合させ、ロックし、規制状態とする。第２姿勢になると、ロックピンを前記穴から抜いてロック解除し、許容状態とする。
【００５６】
＜パネルユニットについて＞
パネルユニットの第３姿勢は、スキャナーユニット４の開き角度との間で以下の関係を満たすように設定することができる。  
プリンター１は、図１９に示すように、パネルユニット１３を第３姿勢にした状態、且つ、スキャナーユニット４を最大の開き角度にした場合に、操作面６ａ（パネル面）が水平よりも装置前方に向くように構成することができる。つまり、図１９に示す角度θが０°よりも大きくなるように構成することができる。尚、図１９において水平面は符号Ｓを付した点線で示されている。  
このように構成されることにより、スキャナーユニット４を完全に開いた際に、装置前方から操作面６ａを視認し易い構成とすることができる。
【００５７】
＜液体収容部について＞
プリンター１において、図３に示されるキャリッジ２０に搭載される液体収容部２４には、記録を行うことによって減ったインクを補充することができる。  
プリンター１は、図３のようにスキャナーユニット４を開いた状態において、液体収容部２４にインクを補充可能に構成されている。  
プリンター１が、前述した規制手段４０を備えることにより、パネルユニット１３の姿勢を変えることでスキャナーユニット４の回動の規制状態と許容状態とを切り換えることができるので、液体収容部２４にインクを補充するにあたり、良好な操作性でスキャナーユニット４を開くことができる。
【００５８】
キャリッジ２０には、複数の色に対応する複数の液体収容部２４が搭載されている。各液体収容部２４の上部には、図１６に示されるインク供給口２５を閉じるキャップ２６が設けられている。図１６には、図を正面視して一番左の液体収容部２４のキャップ２６が開いた状態が示されている。キャップ２６は、装置後方（−Ｙ方向）を軸として回動することによりインク供給口２５を開閉する。インク供給口２５からインクを液体収容部２４に注入することができる。
【００５９】
図３において、キャリッジ２０はホームポジションに位置している。ホームポジションは、キャリッジ２０の移動領域の一方の端に設けられており、本実施形態においては−Ｘ方向の端に設定されている。  
筐体２の−Ｘ方向の前方には庇部材１４が設けられており、キャリッジ２０がホームポジションに位置する場合に、キャップ２６が閉じられた状態の液体収容部２４が庇部材１４の下方に位置するようになっている。
【００６０】
庇部材１４があるため、キャリッジ２０がホームポジションに位置する際には液体収容部２４のキャップ２６を開くことができない。液体収容部２４にインクを補充する場合には、例えば操作部６においてインク補充モードを選択することで、図１５に示されるように庇部材１４によってキャップ２６が覆われない位置にキャリッジ２０を移動させることができる。
【００６１】
本実施形態において、筐体２の前面２ａには切り欠き１５が設けられている。  
液体収容部２４の＋Ｙ方向の側面には、内部のインク量を視認可能な窓部２７が設けられており、インク補充モードでは、図１５に示されるようにキャリッジ２０がＸ軸方向において切り欠き１５と重なる位置まで移動される。このことにより、液体収容部２４の中のインク量を確認しながらインクを補充することができる。  
インクの補充が完了したら、例えば操作部６においてインク補充モードを終了することでキャリッジ２０がホームポジションに戻されるように構成することができる。また、スキャナーユニット４が筐体２に対して閉じられたことを検出し、これをトリガーとしてキャリッジ２０をホームポジションに戻す構成とすることもできる。
【００６２】
庇部材１４は、液体収容部２４へのインク補充後のキャップ２６の閉め忘れを抑制する。前述したように、液体収容部２４のキャップ２６が完全に閉じられていると、キャリッジ２０がホームポジションに戻った際に、液体収容部２４は庇部材１４の下方に位置する。  
図１７に示されるように、キャップ２６が半開きの状態であると、キャップ２６が庇部材１４に引っ掛かり、キャリッジ２０はホームポジションに戻ることができない。したがって、例えばキャリッジ２０がホームポジションに戻っていない場合に、キャップ２６が半開きになっている可能性があることを知らせるアラートを発するように構成することができる。また、キャップ２６の庇部材１４への引っ掛かりにより生じる不図示のキャリッジモーターへの負荷を検出し、負荷が所定以上になった場合にアラートを発する構成とすることもできる。
【００６３】
また、本発明は上記実施形態に限定されることなく、特許請求の範囲に記載した発明の範囲内で種々の変形が可能であり、それらも本発明の範囲内に含まれるものであることは言うまでもない。
【符号の説明】
【００６４】
１…インクジェットプリンター（記録装置）、２…筐体、３…給送口カバー、４…スキャナーユニット、５…原稿台カバー、６…操作部、６…操作面（パネル面）、７…下部カバー、８…記録部、９…上部供給口、１０…記録ヘッド、１１…媒体トレイ、１２…排出トレイ、１３…パネルユニット、１４…庇部材、１５…切り欠き、１６…給送ローラー、１７…中間ローラー、１８ａ、１８ｂ、１８ｃ、１８ｄ…従動ローラー、１９…ローラー支持部材、１９ａ…揺動軸、２０…キャリッジ、２１…搬送ローラー対、２２…排出ローラー対、２３…媒体支持部材、２４…液体収容部、２５…インク供給口、２６…キャップ、２７…窓部、３０…スキャナー本体、３１…読取部、３２…原稿台、３３…押さえ板、４０…規制手段、４１…フック部、４１ａ…凸部、４２…規制部、４３…板バネ（押圧手段）、Ｐ…媒体
【図１】
2020131622.tif 000003
【図２】
2020131622.tif 000004
【図３】
2020131622.tif 000005
【図４】
2020131622.tif 000006
【図５】
2020131622.tif 000007
【図６】
2020131622.tif 000008
【図７】
2020131622.tif 000009
【図８】
2020131622.tif 000010
【図９】
2020131622.tif 000011
【図１０】
2020131622.tif 000012
【図１１】
2020131622.tif 000013
【図１２】
2020131622.tif 000014
【図１３】
2020131622.tif 000015
【図１４】
2020131622.tif 000016
【図１５】
2020131622.tif 000017
【図１６】
2020131622.tif 000018
【図１７】
2020131622.tif 000019
【図１８】
2020131622.tif 000020
【図１９】
2020131622.tif 000021